(57)【要約】【課題】被記録媒体を戻すための搬送路を簡素な構成で実現するとともに、当該搬送路で被記録媒体が詰まった場合に被記録媒体を容易に取り除くことが可能な画像記録装置を提供する。【解決手段】プリンタ部１１には、湾曲路６５Ａ及び排紙路６５Ｂからなる搬送路６５と、傾斜路６７Ａ及び直線路６７Ｂからなる反転搬送路６７とが形成されている。搬送路６５を通って記録部２４に達した記録用紙は表面に画像が記録された後に排紙路６５Ｂへ搬送されて、その後、裏面に記録するために反転搬送路６７へ搬送される。反転搬送路６７に第３搬送ローラ６４が設けられている。給紙カセット７８のセカンドトレイ２１のサイドガイド８６の上部プレート１０２には第３ピンチローラ１０９が軸支されている。第３ピンチローラ１０９は、給紙カセット７８が装着されると第３搬送ローラ６４に当接し、脱抜されると第３搬送ローラ６４から離反する。【選択図】図３
2010150030.tif 000002
【特許請求の範囲】
【請求項１】
シート状の被記録媒体を収容可能な第１トレイと、
上記第１トレイの下流側から延出され、被記録媒体が搬送される第１搬送路と、
シート状の被記録媒体を収容可能に構成され、少なくとも被記録媒体を上記第１搬送路へ給送可能な給送位置に配置されるように上記第１トレイの上方でスライド可能に支持された第２トレイと、
上記第１搬送路に設けられ、該第１搬送路を搬送される被記録媒体に画像を記録する記録部と、
上記第１搬送路における上記記録部の下流側で分岐され上記第２トレイ及び上記記録部の間を通って上記記録部の上流側で上記第１搬送路に接続され、上記記録部を通過した被記録媒体が上記第１搬送路へ向けて搬送される第２搬送路と、
上記第２搬送路に設けられ、該第２搬送路内の被記録媒体を上記第１搬送路における記録部の上流側へ送る第１駆動ローラと、を具備し、
上記第２トレイは、
該第２トレイに収容された被記録媒体の側部に当接して該被記録媒体を所定の基準位置に位置決めするサイドガイドを備え、
上記サイドガイドは、
上記第２トレイにおける被記録媒体の収容面に垂直な面を有する垂直部材と、
上記垂直部材から上記収容面に沿って上記第２搬送路に直交する方向へ突出され、上記第２搬送路の下側ガイド面の一部を形成するガイド部材と、
上記ガイド部材に回転自在に支持され、上記第２トレイが上記給送位置に配置された状態で上記第１駆動ローラに当接する従動ローラと、を備える画像記録装置。
【請求項２】
上記第１搬送路は、上記第１トレイの下流端から上方へ延出された湾曲形状の湾曲路を有し、
上記ガイド部材は、上記第２トレイが上記給送位置に配置された状態で、上記湾曲路から上流側へ所定間隔を隔てた位置に設けられている請求項１に記載の画像記録装置。
【請求項３】
上記従動ローラを上方へ付勢する弾性部材が上記ガイド部材に設けられている請求項１又は２に記載の画像記録装置。
【請求項４】
上記第１搬送路及び上記第２搬送路の間の所定の支点を中心に上記第１トレイ又は上記第２トレイに対して接離する方向へ回動可能なアーム、及び上記アームの先端側に回転可能に支持された第２駆動ローラを有し、上記第２駆動ローラが上記第１トレイに収容された被記録媒体に当接して上記第１トレイから上記第１搬送路へ被記録媒体を供給する第１姿勢と、上記第２駆動ローラが上記第２トレイに収容された被記録媒体に当接して上記第２トレイから上記第１搬送路へ被記録媒体を供給する第２姿勢と、上記第２駆動ローラが上記第２搬送路よりも上側に配置された第３姿勢との間で上記アームが姿勢変化可能に構成された給送手段と、
上記第１搬送路における上記記録部の下流側に設けられ、上記記録部を通過した被記録媒体を排出する第４姿勢と、該被記録媒体を上記第２搬送路へスイッチバック搬送する第５姿勢との間で姿勢変化可能に構成された経路切換部と、を更に備える請求項１から３のいずれかに記載の画像記録装置。
【請求項５】
上記アームは、該アームの上流側から上記給送位置へ向けてスライドされた上記第２トレイに当接されて、上記第１姿勢から上記第２姿勢へ姿勢変化されるものである請求項４に記載の画像記録装置。
【請求項６】
２つの上記サイドガイドは、上記第２トレイにおける被記録媒体の収容面にスライド可能に設けられている請求項１から５のいずれかに記載の画像記録装置。
【発明の詳細な説明】
【技術分野】
【０００１】
本発明は、トレイから記録部へ給送された被記録媒体に対して画像を記録する画像記録装置に関し、特に、画像が記録された被記録媒体を再び記録部へ給送する搬送路を備えた画像記録装置に関する。
【背景技術】
【０００２】
従来より、被記録媒体の両面に画像を記録することができる画像記録装置が知られている。この種の画像記録装置の一例として、特許文献１には、トレイから送り出された被記録媒体を湾曲状の第１搬送路を通って記録部へ搬送し、記録部において表面に画像を記録し、その被記録媒体を記録部の下流側でスイッチバックさせ、第２搬送路を通って再び記録部へ搬送し、記録部において裏面に画像を記録する画像記録装置が開示されている。
【０００３】
【特許文献１】特開２００８−２４７５３７号公報
【発明の開示】
【発明が解決しようとする課題】
【０００４】
しかしながら、特許文献１に記載の画像記録装置では、第２搬送路を形成するためのガイド部材を新たに設ける必要がある。また、第２搬送路に設けられた一対のローラ対に挟持された状態で被記録媒体が詰まった場合は、被記録媒体の除去作業にローラ対の圧接状態を解除する作業が伴う。仮に、ローラ対に挟持された被記録媒体を無理矢理引っ張り出すことによって、被記録媒体を除去できたとしても、被記録媒体の表面に記録された画像からローラ面にインクなどの記録材が付着して、ローラ面を汚すだけでなく、次に搬送される記録用紙にその記録材が転写されて、画像品質を低下させるおそれがある。
【０００５】
そこで本発明は、上記問題に鑑みてなされたものであり、その目的は、記録部に被記録媒体を戻すための搬送路を簡素な構成で実現するとともに、当該搬送路で被記録媒体が詰まった場合に被記録媒体を容易に取り除くことが可能な画像記録装置を提供することにある。
【課題を解決するための手段】
【０００６】
(1)  上記目的を達成するため、本発明は、シート状の被記録媒体を収容可能な第１トレイと、上記第１トレイの下流側から延出され、被記録媒体が搬送される第１搬送路と、シート状の被記録媒体を収容可能に構成され、少なくとも被記録媒体を上記第１搬送路へ給送可能な給送位置に配置されるように上記第１トレイの上方でスライド可能に支持された第２トレイと、上記第１搬送路に設けられ、該第１搬送路を搬送される被記録媒体に画像を記録する記録部と、上記第１搬送路における上記記録部の下流側で分岐され上記第２トレイ及び上記記録部の間を通って上記記録部の上流側で上記第１搬送路に接続され、上記記録部を通過した被記録媒体が上記第１搬送路へ向けて搬送される第２搬送路と、上記第２搬送路に設けられ、該第２搬送路内の被記録媒体を上記第１搬送路における記録部の上流側へ送る第１駆動ローラと、を具備する画像記録装置として構成されている。この構成において、上記第２トレイは、該第２トレイに収容された被記録媒体の側部に当接して該被記録媒体を所定の基準位置に位置決めするサイドガイドを備えている。また、上記サイドガイドは、上記第２トレイにおける被記録媒体の収容面に垂直な面を有する垂直部材と、上記垂直部材から上記収容面に沿って上記第２搬送路に直交する方向へ突出され、上記第２搬送路の下側ガイド面の一部を形成するガイド部材と、上記ガイド部材に回転自在に支持され、上記第２トレイが上記給送位置に配置された状態で上記第１駆動ローラに当接する従動ローラと、を備えている。
【０００７】
第２トレイは、上記第１トレイの上方でスライド可能に支持されている。この第２トレイが上記給送位置までスライドされると、第２トレイに収容された被記録媒体を上記第１搬送路へ給送することが可能となる。
【０００８】
第２トレイには、サイドガイドが設けられている。このサイドガイドに設けられた上記ガイド部材は、第２搬送路の下側ガイド面を構成している。つまり、第２搬送路を通る被記録媒体は、ガイド部材によってその下面が支えられながら下流側の第１搬送路へ案内される。ガイド部材には従動ローラが回転自在に支持されている。この従動ローラは、第２トレイが上記給送位置に配置された状態で、第２搬送路に設けられた第１駆動ローラに当接する。従動ローラが第１駆動ローラに当接された状態で第１駆動ローラが回転駆動されると、それに伴って従動ローラが従動する。記録部を通過した被記録媒体が第２搬送路に案内され、該被記録媒体の先端が第１駆動ローラ及び従動ローラのニップ部に到達すると、第１駆動ローラ及び従動ローラによって被記録媒体が下流側へ搬送される。
【０００９】
このように、サイドガイドのガイド部材が第２搬送路の下側ガイド面を構成しているため、第２搬送路を簡素な構成で実現することができる。また、第１トレイとともに第２トレイが装置から取り外されると、従動ローラは第１駆動ローラから離れるため、第２搬送路で被記録媒体が詰まった場合でも、作業者は、被記録媒体を容易に取り除くことができる。
【００１０】
(2)  上記第１搬送路は、上記第１トレイの下流端から上方へ延出された湾曲形状の湾曲路を有するものであってもよい。この場合、上記ガイド部材は、上記第２トレイが上記給送位置に配置された状態で、上記湾曲路から上流側へ所定間隔を隔てた位置に設けられていることが好ましい。
【００１１】
これにより、第２トレイから被記録媒体が給送される場合でも、ガイド部材によって邪魔されることなく、被記録媒体は湾曲路に沿って上方へ撓まされながら搬送される。また、ガイド部材が湾曲路から所定間隔だけ上流側に設けられているため、第２搬送路を通ってガイド部材の上面で支えられながら搬送された被記録媒体は、上記湾曲路へ進入する手前において、被記録媒体の下流側端部がガイド部材から下方へ落ち込み、第２トレイの被記録媒体の上面に支えられながら湾曲路へ進入する。被記録媒体は湾曲路に進入するときに湾曲路に沿って撓まされるが、第２トレイの被記録媒体側へ落ち込むことによって、被記録媒体を大きく湾曲させることができる。このため、撓まされた被記録媒体と湾曲路のガイド面又はガイド部材のガイド面との接触摩擦を軽減することができ、被記録媒体を円滑に搬送することが可能となる。なお、上記所定間隔は、サイドガイドの高さや湾曲路の曲率などに応じて適宜定められる。
【００１２】
(3)  上記従動ローラを上方へ付勢する弾性部材が上記ガイド部材に設けられていてもよい。
【００１３】
これにより、第２トレイが給送位置にある場合に、従動ローラが第１駆動ローラに圧接される。したがって、被記録媒体は、第１駆動ローラ及び従動ローラから十分な搬送力を受けて搬送される。また、このような構成では、第１駆動ローラ及び従動ローラによって圧接された状態で被記録媒体が第２搬送路で詰まった場合に、被記録媒体を無理矢理引っ張り出すと、被記録媒体が損傷したり、或いは記録面の記録材（例えばインク）がローラ面に付着するという弊害が生じるが、本発明の画像記録装置によれば、作業者は、上記弊害を伴わずに被記録媒体を容易に取り除くことができる。
【００１４】
(4)  本発明の画像記録装置は、給送手段と経路切換部とを更に備えている。給送手段は、上記第１搬送路及び上記第２搬送路の間の所定の支点を中心に上記第１トレイ又は上記第２トレイに対して接離する方向へ回動可能なアーム、及び上記アームの先端側に回転可能に支持された第２駆動ローラを有し、上記第２駆動ローラが上記第１トレイに収容された被記録媒体に当接して上記第１トレイから上記第１搬送路へ被記録媒体を供給する第１姿勢と、上記第２駆動ローラが上記第２トレイに収容された被記録媒体に当接して上記第２トレイから上記第１搬送路へ被記録媒体を供給する第２姿勢と、上記第２駆動ローラが上記第２搬送路よりも上側に配置された第３姿勢との間で上記アームが姿勢変化可能に構成されている。経路切換部は、上記第１搬送路における上記記録部の下流側に設けられ、上記記録部を通過した被記録媒体を排出する第４姿勢と、該被記録媒体を上記第２搬送路へスイッチバック搬送する第５姿勢との間で姿勢変化可能に構成されている。
【００１５】
これにより、第２駆動ローラによって第１トレイからの被記録媒体の給送が具体的に実現され、また、記録部を通過した被記録媒体を第２搬送路へ案内することが具体的に実現される。
【００１６】
(5)  上記アームは、該アームの上流側から上記給送位置へ向けてスライドされた上記第２トレイに当接されて、上記第１姿勢から上記第２姿勢へ姿勢変化されるものであってもよい。
【００１７】
(6)  ２つの上記サイドガイドは、上記第２トレイにおける被記録媒体の収容面にスライド可能に設けられたものであってもよい。
【発明の効果】
【００１８】
本発明によれば、記録部に被記録媒体を戻すための第２搬送路を簡素な構成で実現でき、しかも、第２搬送路で被記録媒体が詰まった場合でも、作業者は、被記録媒体を容易に取り除くことが可能である。
【発明を実施するための最良の形態】
【００１９】
以下、適宜図面を参照して本発明の好ましい実施形態について説明する。なお、以下に説明される実施形態は本発明の一例にすぎず、本発明の要旨を変更しない範囲で、本発明の実施形態を適宜変更できることは言うまでもない。
【００２０】
［複合機１０の概略］
図１は、本発明の一実施形態である複合機１０の外観斜視図である。なお、以下の説明においては、複合機１０が使用可能に設置された状態（図１の状態）を基準として上下方向７を定義し、操作パネル４０が設けられている側を手前側（正面）として前後方向８を定義し、複合機１０を手前側（正面）から見て左右方向９を定義する。
【００２１】
複合機１０は、主に、下部に設けられたインクジェット方式のプリンタ部１１と、上部に設けられたスキャナ部１２と、正面上部に設けられた操作パネル４０とを備えている。この複合機１０は、ファクシミリ機能、プリンタ機能、スキャナ機能、及び、コピー機能などの各種の機能を有している。プリンタ機能としては、記録用紙の表面（第１面）及び裏面（第２面）の両面に画像を記録する両面画像記録機能を有している。なお、プリンタ機能以外の機能は任意であり、例えば、スキャン機能やコピー機能、ファクシミリ機能を有しないプリンタ機能のみを有するプリンタとして本発明の画像記録装置が実施されてもよい。
【００２２】
プリンタ部１１は、正面に開口１３が形成されており、この開口１３からプリンタ部１１の内部に給紙カセット７８が装着されている。この給紙カセット７８は、開口１３からプリンタ部１１内に挿抜可能に構成されている。給紙カセット７８は、各種サイズの記録用紙（本発明のシート状の被記録媒体の一例）を収容するものであり、下段にメイントレイ２０（本発明の第１トレイの一例）が配置され、上段にセカンドトレイ２１（本発明の第２トレイの一例）及びトレイ収容部７９が配置されている。つまり、メイントレイ２０及びセカンドトレイ２１は、上下２段に設けられている。本実施形態では、トレイ収容部７９は給紙カセット７８の前方側に配置されており、この上面に設けられた排紙保持面８０に画像記録済みの記録用紙が排出されて保持される。なお、給紙カセット７８の詳細な構成については後述する。
【００２３】
スキャナ部１２は、いわゆるフラットベッドスキャナとして構成されている。スキャナ部１２の上部に原稿カバー３０が設けられている。原稿カバー３０は、複合機１０の天板として設けられており、その原稿カバー３０の下には、図示しないプラテンガラスが配置されている。原稿は、プラテンガラス上に載置され、原稿カバー３０に覆われた状態でスキャナ部１２に読み取られる。
【００２４】
操作パネル４０は、プリンタ部１１やスキャナ部１２の動作環境を設定するためのものであって、各種操作ボタンや液晶表示部が設けられている。ユーザは、操作パネル４０を操作することで、各種機能の設定や動作を実行することができる。例えば、記録用紙としての記録用紙の種類（普通紙又は葉書など）の設定や、記録用紙の表面のみに画像を記録する片面記録モードの設定、表裏両面に画像を記録する両面記録モードの設定、解像度（ドラフトモード又はフォトモード）の設定を、操作パネル４０を介して指示することができる。
【００２５】
［プリンタ部１１の詳細］
次に、図２及び図３を参照して、プリンタ部１１の構成について説明する。図２は、プリンタ部１１の内部構造を示す縦断面図である。図３は、プリンタ部１１の要部を詳細に示す部分拡大図である。なお、図３では、給送部１５の図示が省略されている。
【００２６】
プリンタ部１１は、上述した給紙カセット７８に加えて、給紙カセット７８の各トレイ２０，２１から記録用紙を給紙（給送）する給送部１５（本発明の給送手段の一例）と、給送部１５によって給紙された記録用紙にインク滴を吐出することで記録用紙に画像を記録するインクジェット方式の記録部２４（本発明の記録部の一例）と、裏面（第２面）に画像を記録するために表面（第１面）に画像が記録された記録用紙の搬送経路を切り換える経路切換部４１（本発明の経路切換部の一例）とを備えている。なお、記録部２４は、インクジェット方式に限られず、電子真方式、或いは感熱記録方式など、種々の記録方式のものが適用され得る。
【００２７】
［搬送路６５］
プリンタ部１１内には、メイントレイ２０の先端から記録部２４を経て排紙保持部７９に至る搬送路６５（本発明の第１搬送路の一例）が形成されている。搬送路６５は、メイントレイ２０の先端から記録部２４に至る間に形成された湾曲路６５Ａ（本発明の湾曲路の一例）と、記録部２４から排紙保持面８０に至る間に形成された排紙路６５Ｂとを有している。
【００２８】
図３に示されるように、湾曲路６５Ａは、給紙カセット７８のメイントレイ２０よりも搬送方向下流側（以下「下流側」と略称する。）から記録部２４よりも搬送方向上流側（以下「上流側」と略称する。）に至る間に形成された湾曲状の通路である。具体的には、湾曲路６５Ａは、メイントレイ２０に設けられた分離傾斜板２２の上端付近から記録部２４の後方端部付近まで湾曲状に延設されている。この湾曲路６５Ａは、メイントレイ２０と記録部２４との間に定められた中心点を中心とする円弧形状に概ね形成されている。湾曲路６５Ａは、所定間隔を隔てて互いに対向する湾曲形状のガイド面１８Ａ及びガイド面１９Ａによって形成されている。具体的には、プリンタ部１１のフレームに設けられた上記ガイド面１８Ａを有する外側ガイド部材１８と、上記ガイド面１９Ａを有する内側ガイド部材１９とによって、湾曲路６５Ａが区画形成されている。
【００２９】
［反転搬送路６７］
また、プリンタ部１１内には、反転搬送路６７が形成されている。反転搬送路６７は、記録部２４の下流側の排紙路６５Ｂから分岐され、給紙カセット７８とその上側にある記録部２４との間を通って、記録部２４の上流側に接続されている。具体的には、反転搬送路６７は、記録部２４の下流側の分岐部位３６から分岐されており、湾曲路６５Ａの最上流部付近の合流部位３７に接続されている。
【００３０】
反転搬送路６７は、傾斜路６７Ａと直線路６７Ｂとを有している。傾斜路６７Ａは、分岐部位３６から後方斜め下方へ延出された傾斜ガイド３２，３３によって形成されている。傾斜ガイド３２，３３は所定間隔を隔てて互いに対向するように配置されている。
【００３１】
直線路６７Ｂは、傾斜路６７Ａの終端から後方へ向けて概ね直線状に形成されている。この直線部６７Ｂは、セカンドトレイ２１に設けられた一対のサイドガイド８６の上部プレート１０２（図４参照）によって区画されている。なお、サイドガイド８６の詳細な構成については後述する。
【００３２】
このように搬送路６５及び反転搬送路６７が構成されているため、記録用紙の片面（表面）のみに画像を記録する場合には、給送部１５によってメイントレイ２０又はセカンドトレイ２１から給紙された記録用紙は、湾曲路６５Ａに沿って下方から上方へＵターンするように案内されて記録部２４へ搬送される。そして、記録部２４によって表面に画像が記録された後に、排紙路６５Ｂを通って排紙保持面８０に排出される。一方、記録用紙の両面（表裏面）に画像を記録する場合には、表面に画像が記録された記録用紙は、経路切換部４１によって反転搬送路６７へ案内されて、反転搬送路６７の傾斜路６７Ａ及び直線路６７Ｂを経て再び湾曲路６５Ａを通って、記録部２４へ搬送される。そして、記録部２４によって記録用紙の裏面に画像が記録された後に、排紙路６５Ｂを通って排紙保持面８０に排紙される。
【００３３】
［記録部２４］
記録部２４は、搬送路６５に設けられている。この記録部２４は、給紙カセット７８の上方に配置されている。記録部２４は、キャリッジ３８と記録ヘッド３９とを備えている。記録ヘッド３９は、キャリッジ３８に搭載され、図２の紙面垂直方向（主走査方向）に延出されたガイドレール５５，５６に沿って往復動するように構成されている。記録ヘッド３９は、キャリッジ３８の往復過程において、図示しないインクカートリッジから供給されたインクを微小なインク滴としてプラテン４２上を搬送される記録用紙に吐出する。これにより、記録用紙に画像が記録される。
【００３４】
湾曲路６５Ａには、第１搬送ローラ５８及び第１ピンチローラ５９が設けられている。第１搬送ローラ５８は外側ガイド部材１８に回転可能に支持されており、第１ピンチローラ５９は内側ガイド部材１９に回転可能に支持されている。第１搬送ローラ５８及び第１ピンチローラ５９は、湾曲路６５Ａを通過する記録用紙を狭持して記録部２４へ向けて搬送する。
【００３５】
第１搬送ローラ５８及び第１ピンチローラ５９よりも下流側、具体的には、湾曲路６５Ａの終端と記録部２４との間に、第２搬送ローラ６０及び第２ピンチローラ６１が設けられている。これらは対をなしている。第２搬送ローラ６０及び第２ピンチローラ６１は、プリンタ部１１のフレーム（不図示）に回転可能に支持されている。第２ピンチローラ６１は、第２搬送ローラ６０の下側に圧接するように配置されている。第２搬送ローラ６０及び第２ピンチローラ６１は、湾曲路６５Ａを搬送してきた記録用紙を狭持して該記録用紙をプラテン４２上へ送る。
【００３６】
記録部２４と排紙路６５Ｂの始端との間には、排紙ローラ６２及び拍車ローラ６３が設けられている。排紙ローラ６２及び拍車ローラ６３は、プリンタ部１１のフレームに回転可能に支持されている。排紙ローラ６２及び拍車ローラ６３は、記録済みの記録用紙を狭持してさらに下流側（排紙保持面８０側）へ搬送するものである。
【００３７】
反転搬送路６７には、第３搬送ローラ６４（本発明の第１駆動ローラの一例）が設けられている。第３搬送ローラ６４はプリンタ部１１のフレーム（不図示）に回転可能に支持されている。この第３搬送ローラ６４は、給送部１５よりも前方側、詳細には、後述する給紙ローラ２５よりも前方側（上流側）に配置されている。本実施形態では、給紙カセット７８がプリンタ部１１に装着され、且つ、更にセカンドトレイ２１が給送位置（図３に示される位置）に配置された状態（以下「再搬送可能状態」と称する。）で、セカンドトレイ２１のサイドガイド８６に支持された第３ピンチローラ１０９（本発明の従動ローラの一例）が第３搬送ローラ６４に圧接するように構成されている。なお、第３搬送ローラ６４から第１搬送ローラ５８までの搬送経路長は、プリンタ部１１において両面画像記録が可能な最小サイズの記録用紙を搬送可能な長さに設定されている。
【００３８】
第１搬送ローラ５８、第２搬送ローラ６０、排紙ローラ６２及び第３搬送ローラ６４は、図示しないモータから駆動力が伝達されて回転される。なお、第１搬送ローラ５８、第２搬送ローラ６０及び排紙ローラ６２は、画像記録時に間欠駆動される。これにより、記録用紙は所定の改行幅で送られながら画像記録がなされる。
【００３９】
［給送部１５］
給送部１５は、給紙カセット７８に収容された記録用紙を湾曲路６５Ａへ向けて搬送するためのものであり、給紙ローラ２５（本発明の第２駆動ローラの一例）と給紙アーム２６（本発明のアームの一例）と駆動伝達機構（不図示）とを備えている。給紙ローラ２５は、給紙カセット７８の上側に配置されている。給紙ローラ２５は、給紙カセット７８のメイントレイ２０或いはセカンドトレイ２１に収容された記録用紙に当接して回転することにより、該記録用紙を湾曲路６５Ａへ給紙するものであり、給紙アーム２６の先端に回転自在に軸支されている。給紙ローラ２５は、モータなどの電動機（不図示）を駆動源として上記駆動伝達機構を介して回転駆動される。上記駆動伝達機構は概ね直線状に並ぶ複数のギヤで構成されており、これらが噛合されることにより構成されている。
【００４０】
傾斜路６７Ａよりも上方であって記録部２４の下方に基軸２８が設けられている。つまり、基軸２８は、傾斜路６７Ａと記録部２４との間に設けられている。給紙アーム２６は、その基端部が基軸２８に支持されており、基軸２８を回動中心として回転可能に構成されている。このため、給紙アーム２６は、給紙カセット７８の上面（メイントレイ２０の上面又はセカンドトレイ２１の上面）に対して接離可能に上下動することができる。また、給紙アーム２６は、自重により又はバネ等に付勢されて下側へ回動付勢されている。このため、給紙ローラ２５は、給紙カセット７８に収容された記録用紙の上面に当接可能である。この給紙アーム２６は、給紙カセット７８がプリンタ部１１に対して挿入される際に、給紙カセット７８の後端部に押圧されることによって、上方へ押し上げられるように構成されている。
【００４１】
［給紙カセット７８］
次に、図４乃至図７を参照して、給紙カセット７８の構成について説明する。図４は、セカンドトレイ２１が給送位置に配置された状態にある給紙カセット７８の後方斜視図である。図５は、図４においてトレイ収容部７９の図示を省略した後方斜視図であり、セカンドトレイ２１の全体構成が詳細に示されている。図６は、給紙カセット７８の斜視図であり、図６（Ａ）は、セカンドトレイ２１が給送位置に配置された状態を示す前方斜視図であり、図６（Ｂ）は、セカンドトレイ２１が収容位置に配置された状態を示す前方斜視図である。図７は、プリンタ部１１の縦断面図であり、（Ａ）には、セカンドトレイ２１が給送位置に配置され、且つ給紙アーム２６が直線路６７Ｂよりも上方へ離間された状態が示されており、（Ｂ）には、セカンドトレイ２１が収容位置に配置された状態が示されている。
【００４２】
給紙カセット７８は、大別すると、メイントレイ２０と、セカンドトレイ２１と、トレイ収容部７９とを備えている。
【００４３】
［メイントレイ２０］
メイントレイ２０は、プリンタ部１１の底側に配置されている。メイントレイ２０は、上面が開放された矩形箱状に形成されている。メイントレイ２０の底面１１３に、複数枚の被記録媒体が積載された状態で略水平に収容可能である。メイントレイ２０は、最大でＡ４サイズ（２１０ｍｍ×２９７ｍｍ）の記録用紙が収容可能である。本実施形態の複合機１０では、主として、Ｂ５サイズ、Ａ４サイズなどの記録用紙がメイントレイ２０に収容される。なお、メイントレイ２０の底面１１３には、周知の一対のサイドガイド（不図示）が左右方向９へスライド可能に支持されている。このサイドガイドで挟まれたスペースに記録用紙が収容されてから上記サイドガイドが記録用紙の側部に当接されると、記録用紙の左右方向９（幅方向）の中心位置が一定となるように、底面１１３に対して記録用紙が位置決めされる。
【００４４】
メイントレイ２０は、分離傾斜板２２を備えている。分離傾斜板２２は、メイントレイ２０の後端部に立設されており、後方側へ傾斜している。この分離傾斜板２２の上側から後方斜め上方へ向けて湾曲路６５Ａが形成されている。分離傾斜板２２の内面２３は、記録用紙を湾曲路６５Ａへ案内するガイド面の役割を担う。従って、メイントレイ２０から送り出された記録用紙の先端が分離傾斜板２２の内面２３に当接すると、記録用紙の進行方向が、分離傾斜板２２の傾斜方向つまり後方斜め上方へ変更される。分離傾斜板２２の内面２３の左右方向９の中央部には、内面２３から突出された複数の分離歯２２Ａ（図５参照）が縦方向に並んで配置されている。このような分離傾斜板２２が設けられているため、仮に、メイントレイ２０から複数の記録用紙が束となって給紙されたとしても、記録用紙の端部が内面２３に当接したときに、分離歯２２Ａによって各記録用紙が分離されて、最上位の記録用紙だけが上方の湾曲路６５Ａへ案内される。また、分離傾斜板２２には、後述される係合爪９３が進入して係合可能な係合溝２９が設けられている。
【００４５】
［トレイ収容部７９］
トレイ収容部７９は、メイントレイ２０の上面を覆うカバーの役割を果たすものであり、メイントレイ２０の前方側の上部に取り付けられている。このトレイ収容部７９は、メイントレイ２０に対して回動可能に支持されている。具体的には、トレイ収容部７９の後方側端部の両側面に支軸８１が設けられており、この支軸８１がメイントレイ２０の側壁３１に形成された軸穴８２（図５参照）に軸支されている。これにより、トレイ収容部７９は、メイントレイの前方側上面を覆う閉塞姿勢（図４に示す姿勢）と上記前方側上面を開放する姿勢との間で回動可能となる。つまり、トレイ収容部７９が操作されることにより、メイントレイの前方側上面が開閉される。
【００４６】
トレイ収容部７９の内部には、セカンドトレイ２１が収容される収容スペース８３が設けられている。セカンドトレイ２１は、必要に応じて収容スペース８３に収容される。収容スペース８３の内壁には、前後方向８に沿って、セカンドトレイ２１をメイントレイ２０の底面１１３に平行にスライド可能に支持する支持機構が設けられている。トレイ収容部７９の後方側の側壁に開口８５（図５参照）が設けられており、セカンドトレイ２１は、開口８５から出没するように支持されている。セカンドトレイ２１の支持機構として、本実施形態では、収容スペース８３の内側壁に形成されたレール溝８４が採用されている。このレール溝８４にセカンドトレイ２１の底板８８の側端部８８Ａが挿入されることにより、トレイ収容部７９に対してセカンドトレイ２１がスライド可能となる。なお、セカンドトレイ２１の支持機構は、レールとして機能する側端部８８Ａやレール溝８４に限られない。トレイ収容部７９に対してセカンドトレイ２１がスライド可能であれば、如何なる支持機構でも採用可能である。
【００４７】
［セカンドトレイ２１］
セカンドトレイ２１は、上述したようにトレイ収容部７９にスライド可能に支持されている。セカンドトレイ２１は、平板状の底板８８と、底板８８の上面に設けられた一対のサイドガイド８６（本発明のサイドガイドの一例）とを備えている。一対のサイドガイド８６で挟まれた部分が用紙収容部９０である。この用紙収容部９０に、複数枚の記録用紙が積載された状態で略水平に収容可能である。セカンドトレイ２１の用紙収容部９０は、最大で葉書サイズ（１００×１４８ｍｍ）の記録用紙が収容可能に構成されている。本実施形態の複合機１０では、主として、葉書サイズ、名刺サイズ、写真Ｌ版サイズの記録用紙（葉書、光沢紙など）がセカンドトレイ２１に収容される。
【００４８】
セカンドトレイ２１は、図６（Ａ）に示される給送位置と、図６（Ｂ）に示される収容位置との間でスライド可能に支持されている。ここで、上記給送位置とは、用紙収容部９０に収容された記録用紙を湾曲路６５Ａへ給送することが可能な位置であり、具体的には、セカンドトレイ２１の後端部９２（図５参照）が分離傾斜板２２の内面２３に当接する位置である。また、上記収容位置とは、上記給送位置から前方へ退避してトレイ収容部７９の収容スペース８４に収容される位置である。なお、後端部９２にはＬ字状の係合爪９３が設けられており、上記給送位置において係合爪９３が分離傾斜板２２の係合溝２９に挿入されて係合される。
【００４９】
セカンドトレイ２１は、駆動伝達機構９６を介してモータなどの電動機から駆動力を受けてスライド動作する。駆動伝達機構９６は、図５に示されるように、底板８８の上面に一体に形成されたラックギヤ９７と、このラックギヤ９７に噛合されたピニオンギヤ９８を有する駆動軸９９と、駆動軸９９に設けられた中間ギヤ１００とから構成されている。ラックギヤ９７は、底板８８の上面の右端部において前後方向８へ延設されている。駆動軸９９は、側壁３１まで延出されており、その延出端に中間ギヤ１００が取り付けられている。本実施形態では、給紙カセット７８がプリンタ部１１に装着されたときに、プリンタ部１１のフレームなどに取り付けられた図示しない伝達ギヤが中間ギヤ１００と噛合されるように構成されている。上記伝達ギヤには電動機が連結されている。図示しない制御部によって電動機が駆動制御されることによって、セカンドトレイ２１がスライド動作する。
【００５０】
図４に示されるように、一対のサイドガイド８６は、用紙収容部９０に収容された記録用紙の左右方向９（幅方向）の位置を規制するものであり、具体的には、記録用紙の左右方向９の位置を予め定められた基準位置（本実施形態では左右方向９の中央）に略一致させるように規制するものである。一対のサイドガイド８６は、底板８８の上面において、左右方向９へスライド可能に設けられている。用紙収容部９０に記録用紙が収容されてから一対のサイドガイド８６がスライドされて記録用紙の左右方向９（幅方向）の側部に当接されると、記録用紙の左右方向９の中心位置が上記基準位置となるように底面１１３に対して記録用紙が位置決めされる。
【００５１】
一対のサイドガイド８６は、スライド部１０３と、垂直部１０４（本発明の垂直部材の一例）と、上部プレート１０２（本発明のガイド部材の一例）とを備えている。スライド部１０３は、底板８８の上面を左右方向９へスライドするように支持されている。一対のサイドガイド８６それぞれのスライド部１０３は、ラックギア及びピニオンギアを用いた機構により連動するように構成されている。したがって、一対のサイドガイド８６のうち、いずれか一方がスライド移動されると、他方が連動して相反する方向へスライド移動する。
【００５２】
垂直部１０４は、スライド部１０３の左右方向９の外端から垂直に立設されている。垂直部１０４の用紙収容部側の面が、記録用紙の左右方向９の端部に当接される面である。
【００５３】
上部プレート１０２は、この垂直部１０４の上端から底板８８に沿って直線路６７Ｂに直交する方向、つまり、左右方向９へ突出している。具体的には、上部プレート１０２は、用紙収容部９０側へ突出している。この上部プレート１０２は、用紙収容部９０側へ突出する庇状形状に形成されている。上部プレート１０２は、底板８８の前後方向８の概ね中央部からその上流端付近まで延設されている。本実施形態では、給紙カセット７８がプリンタ部１１に装着され、且つ、セカンドトレイ２１が上記給送位置に配置された状態（再搬送可能状態）で、上部プレート１０２の上面は、反転搬送路６７の直線路６７Ｂの下側ガイド面の役割を担う。
【００５４】
上部プレート１０２の上面は、前方側（上流側）の平坦なガイド面１０２Ａと、ガイド面１０２Ａよりも低い後方側（下流側）の平坦なガイド面１０２Ｂと、ガイド面１０２Ａからガイド面１０２Ｂにかけて後方斜め下方へ傾斜した傾斜面１０２Ｃとに分けられる。上記再搬送可能状態において、ガイド面１０２Ａは傾斜路６７Ａを搬送されてきた記録用紙を受ける位置に配置されている。また、傾斜面１０２Ｃは、第３搬送ローラ６４の概ね下方に配置されており、ローラ面が接触しない位置に配置されている。つまり、傾斜面１０２Ｃは、第３搬送ローラ６４との接触を避けるために、ガイド面１０２Ａよりも下方へ傾斜するように形成されている。
【００５５】
上部プレート１０２には、第３ピンチローラ１０９が設けられている。第３ピンチローラ１０９は、上部プレート１０２に回転自在に軸支されている。第３ピンチローラ１０９のローラ面は、傾斜面１０２Ｃから上方へ露出されている。言い換えると、第３ピンチローラ１０９のローラ面は、反転搬送路６７に露出されている。上部プレート１０２にはコイルバネ１１１（図８参照、本発明の弾性部材の一例）が設けられている。このコイルバネ１１１は、傾斜面１０２Ｃの裏面に配置されており、第３ピンチローラ１０９は、コイルバネ１１１によって、傾斜面１０２Ｃの裏面側から反転搬送路６７側へ付勢されている。このような第３ピンチローラ１０９が上部プレート１０２に設けられているため、上記セカンドトレイ使用状態において、第３ピンチローラ１０９が第３搬送ローラ６４に圧接した状態で当接する。
【００５６】
上述したように、スライドガイド８６が左右方向９へスライド可能であるため、スライドガイド８６のスライドに伴って第３ピンチローラ１０９も左右方向９へ移動する。したがって、本実施形態では、スライドガイド８６の位置に関係なく常に第３搬送ローラ６４と第３ピンチローラ１０９とが当接するように、各ローラの左右方向の長さや位置が決定されている。
【００５７】
また、上部プレート１０２は、上記再搬送可能状態において、分離傾斜板２２から前方側（上流側）へ所定間隔だけ隔てた位置に設けられている。言い換えると、上部プレート１０２は、分離傾斜板２２の上部の湾曲路６５Ａから前方側へ所定間隔だけ隔てた位置に設けられている。上記所定間隔は、垂直部１０４の高さや、湾曲路６５Ａの曲率、分離傾斜板２２の傾斜角度などに応じて適宜定められる。
【００５８】
セカンドトレイ２１が上記収容位置から上記給送位置へスライドされると、その後端部９２が給紙アーム２６を押圧して、給紙アーム２６を上方へ押し上げる。これにより、給紙ローラ２５が、セカンドトレイ２１上に配置される（図２参照）。このときの給紙アーム２６の姿勢が、本発明の第２姿勢に相当する。給紙ローラ２５がセカンドトレイ２１上に配置されると、給紙ローラ２５はセカンドトレイ２１に収容された記録用紙の上面に当接する。この状態で、給紙ローラ２５が回転されると、セカンドトレイ２１に収容された記録用紙を湾曲路６５Ａへ向けて給紙することが可能となる。
【００５９】
一方、セカンドトレイ２１が上記給送位置から上記収容位置へスライドされると、メイントレイ２０の後方側の上面が開けられる。そして、給紙ローラ２５がメイントレイ２０の後方側の上面の開口からメイントレイ２０側へ下降して、メイントレイ２０に収容された記録用紙の上面に当接する（図７（Ａ）参照）。このときの給紙アーム２６の姿勢が、本発明の第１姿勢に相当する。この状態で、給紙ローラ２５が回転されると、メイントレイ２０に収容された記録用紙を湾曲路６５Ａへ向けて給紙することが可能となる。
【００６０】
なお、本実施形態では、記録部２４を通過した記録用紙が経路切換部４１によってスイッチバック搬送されて反転搬送路６７に案内されると、給紙アーム２６が上方へ持ち上げられて、給紙ローラ２６が直線路６７Ｂよりも上方へ退避する（図７（Ｂ）参照）。このときの給紙アーム２６の姿勢が本発明の第３姿勢に相当する。このように給紙ローラ２５が上方へ退避されることで、記録用紙が給紙ローラ２５に当接せずに直線路６７Ｂを搬送される。
【００６１】
［経路切換部４１］
次に、図３を参照して、経路切換部４１について説明する。図３に示されるように、経路切換部４１は、排紙路６５Ｂに配置されている。具体的には、経路切換部４１は、排紙路６５Ｂにおける分岐部位３６、すなわち排紙路６５Ｂと反転搬送路６７との接続部分付近に配置されている。経路切換部４１には、ローラ対を構成する第１ローラ４５及び第２ローラ４６と、第２ローラ４６に並設された補助ローラ４７とが設けられている。
【００６２】
第１ローラ４５及び第２ローラ４６は、排紙ローラ６２及び拍車ローラ６３から送られた記録用紙を狭持するものである。第１ローラ４５及び第２ローラ４６は、記録用紙を排紙路６５Ｂに沿ってさらに前方側（排紙保持面８０側）へ搬送可能であるとともに、記録用紙を反転搬送路６７に搬送可能である。
【００６３】
第２ローラ４６及び補助ローラ４７は、フレーム４８に取り付けられている。このフレーム４８は、複合機１０の左右方向９（図３の紙面垂直方向）に延びている。フレーム４８には、複数の第２ローラ４６及び補助ローラ４７が複合機１０の左右方向９（幅方向）に所定間隔で配置されている。第２ローラ４６及び補助ローラ４７は、図３において紙面に垂直な方向を軸方向とする２つの回転軸それぞれに回転自在に支持されている。第２ローラ４６及び補助ローラ４７は、用紙の記録面に当接するので、拍車ローラ６３と同様に拍車状に形成されている。補助ローラ４７は、所定距離だけ第２ローラ４６よりも上流側に配置されている。第２ローラ４６は、弾性部材により第１ローラ４５へ付勢されている。
【００６４】
第１ローラ４５は、所定の駆動伝達機構を介して不図示のモータと連結されており、このモータを駆動源として回転駆動される。また、第１ローラ４５は、中心軸５２を備えており、その中心軸５２は、プリンタ部１１のフレームに支持されている。
【００６５】
第１ローラ４５の上方に第２ローラ４６が配置されている。第１ローラ４５は、単一の細長円柱形状に形成されていてもよく、また、複数のローラがそれぞれ各第２ローラ４６と対向配置されていてもよい。第１ローラ４５は、モータによって正転又は逆転される。排紙路６５Ｂに沿って記録部２４から搬送された記録用紙は、第１ローラ４５及び第２ローラ４６によって挟持される。
【００６６】
経路切換部４１は、中心軸５２を回転中心として、フレーム４８、第２ローラ４６、及び補助ローラ４７が一体的に回動するように構成されている。この経路切換部４１は、モータから伝達される駆動力の有無に応じて、中心軸５２の周りを回転して姿勢変化する。詳細には、経路切換部４１は、記録部２４を通過した記録用紙を排紙トレイ２１へ排出する排出姿勢（本発明の第４姿勢に相当、図８（Ａ）参照）と、記録部２４を通過した記録用紙を反転させてから反転搬送路６７へ案内する反転姿勢（本発明の第５姿勢に相当、図８（Ｂ）参照）とに変化可能である。
【００６７】
モータによって第１ローラ４５が正転（図３において時計方向の回転）されると、経路切換部４１はその姿勢を上記排出姿勢（図８（Ａ）参照）に維持する。これにより、記録部２４を通過した記録用紙が前方側（排紙保持面８０側）へ送られる。片面記録を行う場合は、第１ローラ４５が継続して正転されることで、記録用紙は第１ローラ４５及び第２ローラ４６に挟持されて下流側へ搬送され、排紙保持面８０に排紙される。
【００６８】
両面記録を行う場合は、経路切換部４１は、第１ローラ４５及び第２ローラ４６が記録用紙の後端部を挟持した状態で上記排出姿勢（図８（Ａ）参照）から上記反転姿勢（図８（Ｂ）参照）へ姿勢変化される。この姿勢変化は、モータの回転方向が切り換えられて、第１ローラ４５が正転から逆転（図３において反時計方向の回転）に切り換えられたことにより達成される。経路切換部４１が反転姿勢に変化したことにより、記録用紙の後端部が補助ローラ４７によって下方へ押さえつけられる。これにより、記録部２４を通過した記録用紙は、スイッチバック搬送されて、その後端側から反転搬送路６７の傾斜路６７Ａへ送り込まれる。
【００６９】
なお、本実施形態では、第１ローラ４５が正転のときに基軸２８を介して給紙ローラ２５へモータの駆動力が伝達されるように構成されている。一方、第１ローラ４５が逆転のときには、給紙ローラ２５へ駆動力が伝達されず、且つ、給紙アーム２６が反転搬送路６７の直線路６７Ｂよりも上方へ回動するように構成されている。つまり、記録用紙が反転搬送路６７を第１ローラ４５や第３搬送ローラ等によって搬送されている間は、給送部１５は記録用紙の搬送動作に寄与しない。このような構成は、給紙ローラ２５に駆動力を供給するモータを独立して制御したり、給紙アーム２６を周知のリンク機構及びモータで上下動させることにより実現可能である。もちろん、給紙ローラ２５及び搬送ローラ６２等の各ローラや給紙アーム２６を共通のモータで駆動させる駆動伝達系を採用する場合は、クラッチや遊星ギヤなどの伝達切換機構を用いることによって上記動作を実現することができる。
【００７０】
［画像記録動作］
以下、図８及び図９を参照して、上述の如く構成されたプリンタ部１１における画像記録動作について説明する。ここに、図８及び図９は、画像記録時における記録用紙Ｓの搬送状態を時系列順に示す模式断面図である。なお、以下においては、説明を簡便するため、セカンドトレイ２１に収容された記録用紙Ｓ（例えば葉書サイズ）に対して画像記録が行われるものとする。
【００７１】
［片面画像記録］
記録用紙Ｓの片面（表面）のみに画像を記録する場合、給紙ローラ２５によってセカンドトレイ２１から給紙された記録用紙Ｓは、湾曲路６５Ａへ案内されて、記録部２４へ搬送される。このとき、記録用紙Ｓは、湾曲路６５Ａに沿って下方から上方へＵターンするように搬送される。これにより、記録用紙Ｓは、給紙ローラ２５が当接した面とは反対の面（表面）が記録部２４と対向するように反転される。
【００７２】
記録用紙Ｓが湾曲路６５Ａを搬送される過程において、記録用紙Ｓの先端が湾曲路６５Ａに進入すると、記録用紙Ｓの先端は、外側ガイド部材１８のガイド面１８Ａに接触して、進行方向が上方へ変えられる。記録用紙Ｓがセカンドトレイ２１から湾曲路６５Ａを上方へ進行するにつれて、記録用紙Ｓはセカンドトレイ２１に対して徐々に傾きを増す。そして、一定の角度を超えたときに初めてサイドガイド８６の上部プレート１０２に当接する。言い換えると、上記一定の角度に傾くまでは、記録用紙Ｓは撓まされることなくその向きが変更され、上記一定の角度を超えて上部プレート１０２に当接して初めて記録用紙Ｓは撓まされる。従って、セカンドトレイ２１からの記録用紙Ｓの給送時において、記録用紙Ｓは過剰に湾曲されることなく、湾曲路６５Ａへ向けて円滑に搬送される。
【００７３】
湾曲路６５Ａに進入した記録用紙Ｓは、湾曲路６５Ａに沿って撓まされながら給紙ローラ２５及び第１搬送ローラ５８によって搬送される。記録用紙Ｓが更に搬送されて、第２搬送ローラ６０及び第２ピンチローラ６１に到達すると、第２搬送ローラ６０及び第２ピンチローラ６１によって記録用紙Ｓが記録部２４とプラテン４２との間に搬送される。そして、記録部２４によって記録用紙Ｓの表面に対して画像記録が開始される。記録部２４によって表面に画像が記録された記録用紙Ｓは、図８（Ａ）に示されるように、排紙路６５Ｂを通って、排紙ローラ６２及び拍車６３によって排紙保持面８０へ排出される。
【００７４】
［両面画像記録］
一方、記録用紙Ｓの両面（表裏面）に画像を記録する場合、表面に画像が記録された記録用紙Ｓは、第１ローラ４５及び第２ローラ４６に到達すると、第１ローラ４５及び第２ローラ４６によって更に下流側に搬送される。そして、図８（Ｂ）に示されるように、記録用紙Ｓの上流側の端部が、第１ローラ４５及び第２ローラ４６に挟持されている状態で、第１ローラ４５の回転方向が逆転される。経路切換部４１は、第１ローラ４５の逆回転方向の駆動力が伝達されて、中心軸５２を中心に反時計方向へ回動する。この回動により、経路切換部４１は、記録用紙Ｓを排紙保持面８０へ排出する排出姿勢（図８（Ａ）参照）から反転姿勢（図８（Ｂ）参照）へ変化する。これにより、記録用紙Ｓは、上流側の端部が反転搬送路６７側に進入する。また、記録用紙Ｓが反転搬送路６７側に進入すると、図示しない周知の駆動伝達機構やリンク機構、或いは前掲の特許文献１に記載の公知の第１連結部材などによって、給紙アーム２６が上方へ持ち上げられて、給紙ローラ２５が直線路６７Ｂから上方へ退避する。
【００７５】
そして、第１ローラ４５及び第２ローラ４６が逆転駆動されると、記録用紙Ｓは傾斜路６７Ａを搬送される。記録用紙Ｓが更に搬送されて、図９（Ｃ）に示されるように、第３搬送ローラ６４及び第３ピンチローラ１０９に到達すると、記録用紙Ｓは、第３搬送ローラ６４及び第３ピンチローラ１０９によって挟持されつつ、サイドガイド８６の上部プレート１０２の上面に支持されながら、直線路６７Ｂを通って湾曲路６５Ａへ向けて搬送される。
【００７６】
上述したように、上部プレート１０２が分離傾斜板２２から前方へ所定間隔だけ隔てられた位置に配置されている。そのため、図９（Ｄ）に示されるように、記録用紙Ｓの下流側端部が分離傾斜板２２に近づくと、分離傾斜板２２の手前付近で、上記下流側端部は、上部プレート１０２から下方へ落ち込み、セカンドトレイ２１に収容された記録用紙の上面で支持されながら、湾曲路６５Ａへ進入する。記録用紙Ｓは、湾曲路Ｓに進入するときに湾曲路６５Ａに沿って撓まされるが、セカンドトレイ２１側へ落ち込むことによって、記録用紙Ｓは、湾曲路６５Ａへ進入する際に大きく湾曲することができる。つまり、反転搬送路６７を通って記録用紙Ｓが湾曲路６５Ａへ搬送されるときでも、記録用紙Ｓは過剰に撓まされずに湾曲路６５Ａへ進入することができる。このため、記録用紙Ｓの撓みが小さいため、記録用紙Ｓと外側ガイド部材１８のガイド面１８Ａ又は上部プレート１０２の上面との接触摩擦を軽減することができ、記録用紙Ｓを直線路６７Ｂから湾曲路６５Ａへ円滑に搬送することが可能となる。
【００７７】
再び湾曲路６５Ａに進入した記録用紙Ｓは、湾曲路６５Ａに沿って撓まされながら第３搬送ローラ６４及び第１搬送ローラ５８によって搬送される。記録用紙Ｓが更に搬送されて、第２搬送ローラ６０及び第２ピンチローラ６１に到達すると、第２搬送ローラ６０及び第２ピンチローラ６１によって記録用紙Ｓが記録部２４とプラテン４２との間に搬送される。そして、記録部２４によって記録用紙の裏面に対して画像記録が開始される。記録部２４によって裏面に画像が記録された記録用紙Ｓは、排紙路６５Ｂを通って、排紙ローラ６２及び拍車６３によって排紙保持面８０へ排出される。なお、記録用紙Ｓの先端が経路切換部４１に進入する前に、経路切換部４１は、反転姿勢から再び排出姿勢に変化するように駆動される。
【００７８】
［実施形態の作用効果］
上述したように、本実施形態では、セカンドトレイ２１のサイドガイド８６の上面（上部プレート１０２の上面）に第３ピンチローラ１０９が設けられている。この第３ピンチローラ１０９は、給紙カセット７８がプリンタ部１１に装着され、且つセカンドトレイ２１が給送位置に配置されているときに第３搬送ローラ６４に圧接され（図１０（Ａ）参照）、給紙カセット７８がプリンタ部１１から取り外された場合は、第３搬送ローラ６４から離反する（図１０（Ｂ）参照）。したがって、仮に、図１０（Ａ）に示されるように、第３搬送ローラ６４及び第３ピンチローラ１０９によって挟持された状態で記録用紙Ｓが反転搬送路６７で詰まった場合でも、プリンタ部１１から給紙カセット７８を取り外すことによって、作業者は、プリンタ部１１の開口１３から記録用紙Ｓを容易に除去することが可能となる。また、記録用紙Ｓを除去する際に、第３搬送ローラ６４から画像記録面（記録用紙Ｓの表面）が離れているので、第３搬送ローラ６４がインクなどの記録材で汚れることもない。
【００７９】
また、上述の実施形態では、反転搬送路６７の下側ガイド面がサイドガイド８６の上面（上部プレート１０２の上面）で形成されている。そのため、新たなガイド部材を設ける必要が無く、反転搬送路６７を簡素な構造で構成することができる。また、ガイド部材の分だけ装置高さを抑えることもできる。
【００８０】
また、上部プレート１０２が分離傾斜板２２から前方へ所定間隔Ｄだけ隔てられた位置に配置されているため、湾曲路６５Ａへの進入時に記録用紙Ｓの撓みが小さくなり、記録用紙Ｓと外側ガイド部材１８のガイド面１８Ａ又は上部プレート１０２の上面との接触摩擦を軽減することができる。これにより、記録用紙Ｓを直線路６７Ｂから湾曲路６５Ａへ円滑に搬送することが可能となる。
【００８１】
なお、上述の実施形態では、メイントレイ２０及びセカンドトレイ２１が上下２段に構成された給紙カセット７８を備えた例について説明したが、給紙カセット７８がセカンドトレイ２１のみを備えたものであっても、本発明は適用可能である。
【００８２】
また、上述の実施形態では、セカンドトレイ２１から記録用紙Ｓが給紙されたときに動作について説明したが、メイントレイ２０から記録用紙Ｓが給紙されるときは、最初にセカンドトレイ２１を収容位置（図６（Ｂ）参照）に配置しておき、メイントレイ２０から記録用紙Ｓが給送された後に、セカンドトレイ２１を収容位置から給送位置（図６（Ａ）参照）へスライドさせる。これにより、メイントレイ２０から記録用紙Ｓを給送する場合でも、上述した両面記録動作を行うことができる。
【００８３】
また、上述の実施形態では、モータなどの電動機から駆動伝達機構９６を介して伝達された駆動力によってセカンドトレイ２１をスライドさせることとしたが、例えば、経路切換部４１が上記排出姿勢から上記反転姿勢へ姿勢変化されることに連動して、セカンドトレイ２１を上記収容位置から上記給送位置へ向けてスライドさせるリンク機構を採用してもかまわない。なお、このようなリンク機構としては、前掲の特許文献１に記載の公知の第２連結部材を介してセカンドトレイ２１を連動させることが可能である。
【００８４】
また、上述の実施形態では、両面記録が行われる際に反転搬送路６７に記録用紙が案内される例について説明した。しかしながら、両面記録時に限られず、例えば、表面に画像が記録された記録用紙を経路切換部４１でスイッチバックさせずに反転搬送路６７へ案内し、再び表面が記録部２４に対面するように記録部２４へ搬送して、表面に再度画像を記録する場合にも、反転搬送路６７に記録用紙が案内される。このような画像記録が行われる場合でも、反転搬送路６７の下側ガイド面を形成するガイド部材として、第３ピンチローラ１０９が設けられた上部プレート１０２を用いることができる。
【図面の簡単な説明】
【００８５】
【図１】図１は、本発明の一実施形態である複合機１０の外観斜視図である。
【図２】図２は、プリンタ部１１の内部構造を示す縦断面図である。
【図３】図３は、プリンタ部１１の要部を詳細に示す部分拡大図である。
【図４】図４は、セカンドトレイ２１が給送位置に配置された状態にある給紙カセット７８の後方斜視図である。
【図５】図５は、図４においてトレイ収容部７９の図示を省略した後方斜視図であり、セカンドトレイ２１の全体構成が詳細に示されている。
【図６】図６は、給紙カセット７８の斜視図であり、（Ａ）は、セカンドトレイ２１が給送位置に配置された状態を示す前方斜視図、（Ｂ）は、セカンドトレイ２１が収容位置に配置された状態を示す前方斜視図である。
【図７】図７は、プリンタ部１１の縦断面図であり、（Ａ）には、セカンドトレイ２１が給送位置に配置され、且つ給紙アーム２６が直線路６７Ｂよりも上方へ離間された状態が示されており、（Ｂ）には、セカンドトレイ２１が収容位置に配置された状態が示されている。
【図８】図８は、画像記録時における記録用紙Ｓの搬送状態を時系列順に示す模式断面図である。
【図９】図９は、画像記録時における記録用紙Ｓの搬送状態を時系列順に示す模式断面図である。
【図１０】図１０は、記録用紙Ｓの除去方法を説明するための模式断面図である。
【符号の説明】
【００８６】
１０・・・複合機
１１・・・プリンタ部
１８・・・外側ガイド部材
１９・・・内側ガイド部材
２０・・・メイントレイ
２１・・・セカンドトレイ
２４・・・記録部
２５・・・給紙ローラ
２６・・・給紙アーム
４１・・・経路切換部
６４・・・第３搬送ローラ
６５・・・搬送路
６５Ａ・・・湾曲路
６５Ｂ・・・排紙路
６７・・・反転搬送路
６７Ａ・・・傾斜路
６７Ｂ・・・直線路
８６・・・サイドガイド
１０２・・・上部プレート
１０４・・・垂直部
１０９・・・第３ピンチローラ
１１１・・・コイルバネ
【図１】
2010150030.tif 000003
【図２】
2010150030.tif 000004
【図３】
2010150030.tif 000005
【図４】
2010150030.tif 000006
【図５】
2010150030.tif 000007
【図６】
2010150030.tif 000008
【図７】
2010150030.tif 000009
【図８】
2010150030.tif 000010
【図９】
2010150030.tif 000011
【図１０】
2010150030.tif 000012